【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
下記一般式（１）で表される繰返し構造を有するトリアリールアミンポリマーまたはコポリマーを含む電荷輸送材料であり、
該電荷輸送材料が、正孔輸送材料、正孔注入材料、又は発光ホスト材料である電荷輸送材料。
【化１】
2019163471.tif 000001
（式中、Ａｒ１は、各々独立して、縮環していてもよい炭素数６〜２０の二価の芳香族炭化水素基又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。
ａは１を表す。
Ｍｅはメチル基を表す。）
【請求項２】
下記一般式（１）で表される繰返し構造を有するトリアリールアミンポリマーまたはコポリマーを含む電荷輸送材料であり、
該電荷輸送材料が、正孔輸送材料、正孔注入材料、又は発光ホスト材料である電荷輸送材料。
【化２】
2019163471.tif 000002
（式中、
Ａｒ１は、各々独立して、フルオレンジイル基、フェナントレンジイル基、トリフェニレンジイル基、又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。
ａは１を表す。
Ｍｅはメチル基を表す。）
【請求項３】
末端が、各々独立して、下記一般式（２）で表される芳香族基であることを特徴とする、請求項１または２に記載の電荷輸送材料。
【化３】
2019163471.tif 000003
（式中、Ａｒ３は、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。）
【請求項４】
前記トリアリールアミンポリマーまたはコポリマーが、下記一般式（３）で表されることを特徴とする、請求項１〜３のいずれか１項に記載の電荷輸送材料。
【化４】
2019163471.tif 000004
（式中、
Ａｒ１、Ａｒ２、ａ、Ｍｅは、一般式（１）と同義である。
Ａｒ３は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。）
【請求項５】
Ａｒ３が、各々独立して、フェニル基、ナフチル基、ビフェニル基、ターフェニル基、トリフェニニル基、フルオレニル基、フェナントレニル基、カルバゾリル基、ビスカルバゾリル基、ジベンゾチエニル基、又はジベンゾフラニル基（これらの基は、各々独立して、炭素数１〜１８のアルキル基、及び炭素数１〜１８のアルコキシ基からなる群より選ばれる１種以上の置換基を有していてもよい）であることを特徴とする請求項３または４に記載の電荷輸送材料。
【請求項６】
Ａｒ１が、
下記（Ａ５）〜（Ａ１４）（ｃは０又は１を表す。これらの基は、各々独立して、炭素数１〜１８のアルキル基、及び炭素数１〜１８のアルコキシ基からなる群より選ばれる１種以上の置換基を有していてもよい）のいずれかであることを特徴とする請求項１〜５のいずれか１項に記載の電荷輸送材料。
【化５】
2019163471.tif 000005
【請求項７】
Ａｒ２が、各々独立して、フェニル基、ナフチル基、ビフェニル基、フルオレニル基、フェナントレニル基、カルバゾリル基、ジベンゾチエニル基、ジベンゾフリル基（これらの基は、各々独立して、炭素数１〜１８のアルキル基、及び炭素数１〜１８のアルコキシ基からなる群より選ばれる１種以上の置換基を有していてもよい）、メチル基、エチル基、ブチル基、メトキシ基、エトキシ基、ブトキシ基、又は水素原子であることを特徴とする請求項１〜６のいずれか１項に記載の電荷輸送材料。
【請求項８】
下記反応式１
【化６】
2019163471.tif 000006
（式中、
Ａｒ１は、各々独立して、縮環していてもよい炭素数６〜２０の二価の芳香族炭化水素基又は連結若しくは縮環していてもよい炭素数４〜３６の二価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
Ａｒ２は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）、炭素数１〜１８のアルキル基、炭素数１〜１８のアルコキシ基、又は水素原子を表す。
Ａｒ３は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
ａは１を表す。
Ｍｅはメチル基を表す。
Ｘ２及びＸ３は各々独立して、塩素原子、臭素原子、又はヨウ素原子を表す。
ｂは１を表す。
ｎは２以上の整数を表す。）
で示される工程を含むアリールアミンポリマーまたはコポリマーの製造方法であって、
一般式（６）で表されるアリーレンジハライド化合物と一般式（７）で表されるビフェニレンジアミン化合物とを、トリアルキルホスフィン及び／又はパラジウム化合物からなる触媒並びに塩基の存在下、重合させることを特徴とする、製造方法。
【請求項９】
前記反応式１で示される工程の後、更に、下記一般式（４）
【化７】
2019163471.tif 000007
（式中、Ａｒ３は、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。
Ｘ１は、塩素原子、臭素原子、又はヨウ素原子を表す。）
で表されるアリールハライド、下記一般式（５）
【化８】
2019163471.tif 000008
（式中、Ａｒ３は、各々独立して、連結若しくは縮環していてもよい炭素数６〜２０の一価の芳香族炭化水素基又は連結若しくは縮環していてもよい炭素数４〜３６の一価のヘテロ芳香族基（これらの基は、各々独立して、炭素数１〜１８のアルキル基、及び炭素数１〜１８のアルコキシ基からなる群より選ばれる１種以上の置換基を有していてもよい）を表す。）
で表されるジアリールアミン、又は一般式（４）で表されるアリールハライドと一般式（５）で表されるジアリールアミンの両方を反応させることを特徴とする、請求項８に記載の製造方法。
【手続補正２】
【補正対象書類名】明細書
【補正対象項目名】０１２０
【補正方法】変更
【補正の内容】
【０１２０】
以下に本発明の実施例を示すが、本発明はこれら実施例に限定されて解釈されるものではない。なお、以下に示す実施例のうち、実施例１〜３，１７，１８，２７〜２９，４３，４４は、参考例としての試験例である。
【手続補正３】
【補正対象書類名】明細書
【補正対象項目名】０１２１
【補正方法】変更
【補正の内容】
【０１２１】
【表２７】
2019163471.tif 000009